(57)【要約】      （修正有）【課題】小さく折り畳んで携帯できる空調服を提供する。【解決手段】折畳み可能な衣服本体と、衣服本体に嵌着されるファン５９を備えた空調服において、衣服本体に収納袋が取付けられ、衣服本体がファンと共に折り畳まれて収納袋に収められる。衣服本体の内側にシームポケット（左前ポケット）１９として存在したものが、外に引き出されひっくり返されることで収納袋になる。シームポケットのポケット口がポケットファスナで開閉されるよう構成され、ポケットファスナにはシームポケットの開閉用と収納袋の開閉用にそれぞれ引手が連結されている。【選択図】図４
0003223897.tif 000002
【実用新案登録請求の範囲】
【請求項１】
折畳み可能な衣服本体と、前記衣服本体に嵌着されるファンを備えた空調服において、
前記衣服本体に収納袋が取付けられており、前記衣服本体が前記ファンと共に折り畳まれて前記収納袋に収められることを特徴とする空調服。
【請求項２】
請求項１に記載した空調服において、
衣服本体の内側にシームポケットとして存したものが、外に引き出されると共にひっくり返されることで収納袋になることを特徴とする空調服。
【請求項３】
請求項２に記載した空調服において、
シームポケットのポケット口が線ファスナで開閉されるよう構成されており、前記線ファスナには前記シームポケットの開閉用と収納袋の開閉用に２つの引手が連結されていることを特徴とする空調服。
【請求項４】
請求項１から３のいずれかに記載した空調服において、
収納袋は衣服本体と共布で形成され、縫合により取付けられていることを特徴とする空調服。
【請求項５】
請求項１から４のいずれかに記載した空調服において、
ファンと衣服本体の内側に配置されたケーブルを介して接続された電池ケースを収納するシームポケットが設けられており、前記ケーブルは前記シームポケットの袋布に形成された通し孔を通されていることを特徴とする空調服。
【請求項６】
請求項１から５のいずれかに記載した空調服において、
衣服本体がベスト仕様になっていることを特徴とする空調服。
【考案の詳細な説明】
【技術分野】
【０００１】
本考案は、ファンの回転で衣服の外部から空気を取り込んで身体を冷やす空調服に関するものである。
【背景技術】
【０００２】
この種の空調服は、衣服と身体の間にファンの回転で空気を取り込みながら、身体と衣服との間に気流を形成することにより、身体の表面から出る汗を気化させて身体から熱を奪うことで冷却する原理に基づいている。
工事現場等で働く作業員は安全性を考慮して厚手の作業服を着なければならず、夏場には大量の汗をかき易い。この場合、身体と衣服との間に熱が籠って熱中症になり易い。このような問題を解消するために空調服が開発され、その実用性の高さから広く普及している。
【先行技術文献】
【特許文献】
【０００３】
【特許文献１】特開２００６−１３２０４０号公報
【考案の概要】
【考案が解決しようとする課題】
【０００４】
近年、地球温暖化の影響により、夏季の気温が上昇傾向にある。これに伴い、上記した作業員だけでなく、屋外でのスポーツ観戦等の趣味的な活動中や移動中にも熱中症に罹患する人が増えている。
【０００５】
本考案は上記従来の問題点に着目して為されたものであり、小さく折り畳んで携帯できる空調服を提供することを、その目的とする。
【課題を解決するための手段】
【０００６】
上記課題を解決するために、請求項１の考案は、折畳み可能な衣服本体と、前記衣服本体に嵌着されるファンを備えた空調服において、前記衣服本体に収納袋が取付けられており、前記衣服本体が前記ファンと共に折り畳まれて前記収納袋に収められることを特徴とする空調服である。
【０００７】
請求項２の考案は、請求項１に記載した空調服において、衣服本体の内側にシームポケットとして存したものが、外に引き出されると共にひっくり返されることで収納袋になることを特徴とする空調服である。
【０００８】
請求項３の考案は、請求項２に記載した空調服において、シームポケットのポケット口が線ファスナで開閉されるよう構成されており、前記線ファスナには前記シームポケットの開閉用と収納袋の開閉用に２つの引手が連結されていることを特徴とする空調服である。
【０００９】
請求項４の考案は、請求項１から３のいずれかに記載した空調服において、収納袋は衣服本体と共布で形成され、縫合により取付けられていることを特徴とする空調服である。
【００１０】
請求項５の考案は、請求項１から４のいずれかに記載した空調服において、ファンと衣服本体の内側に配置されたケーブルを介して接続された電池ケースを収納するシームポケットが設けられており、前記ケーブルは前記シームポケットの袋布に形成された通し孔を通されていることを特徴とする空調服である。
【００１１】
請求項６の考案は、請求項１から５のいずれかに記載した空調服において、衣服本体がベスト仕様になっていることを特徴とする空調服である。
【考案の効果】
【００１２】
本考案の空調服は、小さく折り畳んで収納袋に入れて携帯できる。
【図面の簡単な説明】
【００１３】
【図１】本考案の実施の形態に係る空調服の正面図である。
【図２】図１の一部拡大図である。
【図３】図１の空調服の背面図である。
【図４】図１の空調服の前身ごろを開いた状態の図である。
【図５】図４のシームポケット兼収納袋のＸ−Ｘ断面図である。
【図６】図１の空調服の折畳み手順の説明図である。
【図７】図６に続く、折畳み手順の説明図である。
【図８】図７に続く、収納袋への収納手順の説明図である。
【図９】図８に続く、収納手順の説明図である。
【図１０】図９に続く、収納手順の説明図である。
【図１１】図１０に続く、収納手順の説明図である。
【図１２】図１１に続く、収納袋への密封手順の説明図である。
【図１３】図１２に続く、密封手順の説明図である。
【考案を実施するための形態】
【００１４】
本考案の実施の形態に係る空調服１を、図面にしたがって説明する。
図１が空調服１を広げたときの正面図であり、図２がその一部拡大図であり、図３が背面図である。
符号３は着衣したときに身体を覆う衣服本体を示す。この衣服本体３はベスト仕様になっており、前身ごろが左右に分かれて、右前身ごろ５、右脇身ごろ７、後身ごろ９、左脇身ごろ１１、左前身ごろ１３が脇部分と肩部分で縫合されて一体化されている。また、頭部の周囲を覆うフード１５も襟部分に縫合されて一体化されている。衣服本体３とフード１５の素材は軽くて密封性の良い合成繊維が利用されている。
左前身ごろ１３と右前身ごろ５には、線ファスナタイプの前ファスナ１７が取付けられており、図４に示すようにこの前ファスナ１７を開けば、衣服本体３を着脱できるようになっている。
【００１５】
左前身ごろ１３には、左前ポケット１９が取付けられている。この左前ポケット１９は衣服本体３の外側から出し入れするシームポケット仕様になっている。
二枚のほぼ矩形で縦長の袋布２１、２１が重ね合されて、揃えられた四辺の縁どうしのうち、前ファスナ１７側と上側と下側の三辺の縁どうしが縫合されて平袋体２３になっている。袋布２１の一部の角部には丸みが付けられており、平袋体２３に製袋化したときには、前ファスナ１７側の角部２５、２５が丸くなっている。縫合された三辺の縁どうしのうち、上記した丸い２つの角部２５、２５の間で直線状になった前ファスナ１７側は左前身ごろ１３の内面に対しても縫合されており、衣服本体３側と一体化されている。
この平袋体２３は左脇身ごろ１１側が開口されている。衣服本体３の左前身ごろ１３と左脇身ごろ１１の縫い目の一部にはポケット口が残されており、このポケット口の左前身ごろ１３側と左脇身ごろ１１側のそれぞれの口縁に、平袋体２３の袋布２１、２１の開口側のそれぞれの一辺縁が縫合されている。
【００１６】
ポケット口には、ポケットファスナ２７が取付けられている。このポケットファスナ２７は線ファスナ仕様になっており、エレメント２９が口縁に取付けられている。スライダ３１の両面にはそれぞれ引手３３、３５が連結されており、着衣したときに、衣服本体３の外側からは引手３３を引いてポケットファスナ２７を開閉するようになっている。
左前ポケット１９は、平袋体２３の内面に当たるＡ面側をポケット収容空間とし、ポケットファスナ２７を開閉部として構成されており、衣服本体３の外側からは引手３３を引いて左前ポケット１９を開閉する。
【００１７】
平袋体２３は上記したように、上端部と下端部では左前身ごろ１３に対して結合されておらず、左右両側の端部がそれぞれ左前身ごろ１３に対して結合されており、図５のＸ−Ｘ断面図に示すように、平袋体２３と左前身ごろ１３との隙間を広げると、上下方向で開放された筒状体になる。
平袋体２３は外表で縫合されており、平袋体２３のＡ面側には縫い目は出ていない。
また、前ファスナ１７寄りの上端部では、袋布２１、２１の間に帯状片の両端側が挟み込まれ共に縫合されており、この帯状片が帯状ループ３７（図８）となって平袋体２３のＡ面側に飛び出している。
【００１８】
収納袋３９（図１３）は、左前ポケット１９の内外面をひっくり返して、平袋体２３のＡ面を外面とし、ポケットファスナ２７を開閉部として構成されており、後述するように衣服本体３等が全て収納されたときには、引手３５を引いて収納袋３９を閉じ、衣服本体３等を使用する際には、引手３５を引いて収納袋３９を開くようになっている。帯状ループ３７は収納袋３９のＡ面から外方に出ているので、吊下げ用に利用される。
【００１９】
右前身ごろ５には、右前ポケットが取付けられている。この右前ポケットは二重ポケット仕様になっており、外側で出し入れするシームポケット４１と、内側で出し入れする内ポケット４３が形成されている。
二枚のほぼ矩形で縦長の袋布４５、４５が重ね合されて、揃えられた四辺の縁どうしのうち、三辺の縁どうしが縫合されて平袋体４７になっている。三辺の縁どうしのうち、前ファスナ１７側と下側は右前身ごろ５の内面に対しても縫合されており、衣服本体３側と一体化されている。この平袋体４７は右脇身ごろ７側が開口されている。右前身ごろ５と右脇身ごろ７の縫い目の一部にはポケット口が残されており、このポケット口の右前身ごろ５側と右脇身ごろ７側のそれぞれの口縁に、平袋体４７の袋布４５、４５の開口側のそれぞれの一辺縁が縫合されている。
【００２０】
重ね合された袋布４５、４５のうち、表側にくる、すなわち着衣したときに身体に相対する側の袋布４５には、通し孔４９が設けられている。
ポケット口には、上記した左前ポケット１９と同様に、ポケットファスナ５１が取付けられている。このポケットファスナ５１には１つの引手５３が連結されており、着衣したときに、外側から引手５３を引いてポケットファスナ５１を開閉するようになっている。
シームポケット４１は、平袋体４７の内面を収容空間とし、ポケットファスナ５１を開閉部として構成されている。
内ポケット４３は、平袋体４７を一枚の袋布として扱って、右前身ごろ５の内面に対して縫合されることで形成された右前身ごろ５の内面と当該内面に相対する平袋体４７の外面との間を収容空間とし、開口部５５をポケット口として構成されている。
【００２１】
上記したポケット用の袋布２１、４５、帯状ループ３７は、衣服本体３と共布で構成されており、いずれも、薄く、柔らかく折畳み易いものとなっている。
【００２２】
衣服本体３の後身ごろ９の内面には、中間部分にテープ状の面ファスナ５７が貼着されている。この面ファスナ５７は、長手方向半部が後身ごろ９に貼着されており、二つ折りして残りの半部を貼着した半部に重ね合せると、重ね合せ面の一方に形成された無数の鉤が、他方に形成された無数の輪に引っ掛かることでくっ付くようになっている。
【００２３】
後身ごろ９には、面ファスナ５７を挟んで左右両側に２つの孔が空けられ、ファン５９、５９がそれぞれ着脱自在に嵌合されている。ファン５９はカバーに羽根がモータと共に収められた構成になっており、電源ケーブル６１が着脱自在に接続されている。ファン５９、５９からの電源ケーブル６１、６１は途中で纏められて１本の電源ケーブル６３になって、シームポケット４１側に寄せられている。
電源ケーブル６１、６１のうち長い方の電源ケーブル６１は、途中で、面ファスナ５７に通されている。衣服本体３を着衣したときに身体が動くと、電源ケーブル６１も動くのでファン５９からの送風の邪魔になったり、ファン５９から脱着しないように電源ケーブル６１の移動が規制されている。
【００２４】
電源ケーブル６３の端部は電池ケース６５に着脱自在に接続されている。この電池ケース６５にはリチウムイオン電池が収容されており、ケース表面には、起動用のＯＮスイッチ、ＯＦＦスイッチが設けられている。ＯＮスイッチとＯＦＦスイッチは空冷の強さの調整用のスイッチとしても兼用されている。
電源ケーブル６３が通し孔４９に通されており、電池ケース６５は、シームポケット４１に入れられている。従って、着衣したまま、衣服本体３の外側から引手５３を引いてポケットファスナ５１を開けば、電池ケース６５を取り出せるようになっている。従って、着衣した状態で、操作可能となっている。
【００２５】
空調服１は、上記したように構成されており、着衣して前ファスナ１７を閉じて、電池ケース６５のＯＮスイッチを押し下げると、モータの駆動によってファン５９の羽根が回転することにより、衣服本体３の外側から空気が取り込まれ、身体と衣服本体３との間を流通して脇や首元から外側に吹き出される。
取り込まれた空気が気流となって身体と衣服本体３との間を流通する過程で汗が蒸発し、その気化熱で身体が冷却される。
そして、着衣したときに、左前身ごろ１３のシームポケット（左前ポケット）１９と、右前身ごろ５のシームポケット４１、内ポケット４３が小物の収容に利用できる。
【００２６】
この空調服１は、図１に示す状態から、折り畳んで、小さくできる。例えば、フード１５を後身ごろ９側に折り返した後に、右脇身ごろ７を後身ごろ９側に折り返す。その後に、左脇身ごろ１１を後身ごろ９側に折り返す。それにより、左前ポケット１９のポケットファスナ２７が表に出た状態に細長くなる。この状態で、図６に示すように、襟側をポケットファスナ２７が出ている側と反対の側に折り返し、図７に示すように裾側も同様に折り返す。この畳み方では、ファン５９、５９や電源ケーブル６１、６３が衣服本体３に包まれており、取り出すときにも、ポケットファスナ２７のエレメント２９に引っ掛かり難くなっている。
【００２７】
この状態で、図８に示すように、ポケットファスナ２７を、引手３３を引いて開いて、図９の矢印に示すように、平袋体２３を外に引き出しながら、ひっくり返して、Ａ面を外面として表に出す。
衣服本体３は縫合により平袋体２３に一体化されているので、収納袋３９が表に出てくる過程で、衣服本体３側の一部は、収納袋３９の中、すなわち内面であるＢ面で囲まれた部分に引っ張り込まれている。角部２５、２５が丸くなっているので、角部２５、２５も綺麗にひっくり返すことができる。
【００２８】
図１０の矢印に示すように、平袋体２３を完全に表に出すと、今度は、図１１の矢印に示すように、平袋体２３からはみ出た状態の衣服本体３側を平袋体２３の中に押し込む。この段階で平袋体２３は収納袋３９になる。
図１２に示すように、収納袋３９の中に衣服本体３等を完全に押し込んで、ポケットファスナ２７のエレメント２９、２９を合せて、図１３に示すように、引手３５を引いてスライダ３１を動かして閉じる。これで、収納袋３９に空調服１が完全に収納され密閉されたことになる。
空調服１が収納された収納袋３９はコンパクトで且つ軽量になっているので、携帯できる。カバンに入れるだけでなく、帯状ループ３７をリュックのフックに吊下げることも可能である。
【００２９】
以上、本考案の実施の形態について詳述してきたが、具体的構成は、この実施の形態に限られるものではなく、本考案の要旨を逸脱しない範囲における設計の変更などがあっても考案に含まれる。
例えば、衣服本体はベスト仕様になっていたが、袖付きにしてもよい。また、フードは無しにしてもよい。
また、上記した衣服本体の畳み方は一例であり、ただ丸めた場合よりも隙間が少なくなっているので収納袋に入れたときには、収納袋の膨らみを抑えてよりコンパクト化できる点からも推奨されるが、収納袋に全て収納できることが必要最小限に求められることであり、畳み方は限定されるものではない。
いずれにしても、実用新案登録請求されている形状等を除いては、本考案の範囲は限定されず、従来からあるまたは将来案出される形状や素材を任意に組み合せることができる。
【符号の説明】
【００３０】
１…空調服
３…衣服本体          ５…右前身ごろ          ７…右脇身ごろ    ９…後身ごろ
１１…左脇身ごろ      １３…左前身ごろ        １５…フード      １７…前ファスナ
１９…左前ポケット    ２１…袋布              ２３…平袋体（Ａ面、Ｂ面）
２５…角部            ２７…ポケットファスナ  ２９…エレメント  ３１…スライダ
３３…引手            ３５…引手              ３７…帯状ループ  ３９…収納袋
４１…シームポケット  ４３…内ポケット        ４５…袋布        ４７…平袋体
４９…通し孔          ５１…ポケットファスナ  ５３…引手        ５５…開口部
５７…面ファスナ      ５９…ファン            ６１、６３…電源ケーブル
６５…電池ケース
【図１】
0003223897.tif 000003
【図２】
0003223897.tif 000004
【図３】
0003223897.tif 000005
【図４】
0003223897.tif 000006
【図５】
0003223897.tif 000007
【図６】
0003223897.tif 000008
【図７】
0003223897.tif 000009
【図８】
0003223897.tif 000010
【図９】
0003223897.tif 000011
【図１０】
0003223897.tif 000012
【図１１】
0003223897.tif 000013
【図１２】
0003223897.tif 000014
【図１３】
0003223897.tif 000015